(57)【特許請求の範囲】
【請求項１】
階段の踏板や下階の床面に手摺支柱を立設しこの手摺支柱の上端部に手摺りバーを取付け階段の傾斜に沿わせて配置した各手摺支柱を、この手摺支柱の下端より一段高い踏板の前端の段鼻部に沿わせると共にこの段鼻部に手摺支柱が固定手段を介して固定される階段の手摺取付構造であって、
前記固定手段は一対の側面と底面とからなる断面コ字形状で、前記一対の側面に手摺支柱の固定用孔をそれぞれ設け、前記底面に前記一対の側面方向に長い長孔を設けるとともに前記底面の下端部分に前記底面且つ前記一対の側面と直角に位置決め用突起が設けられ、
前記固定手段は前記位置決め用突起を手摺支柱の下端の取付位置より一段高い踏板前端の段鼻部の下面に当接し前記底面が前記段鼻部に前記長孔を介して固着具により固着されるとともに、
前記手摺支柱は前記固定手段の一対の側面に挟持された状態で前記固定用孔を介して固着具により固着されることを特徴とする階段の手摺取付構造。
【請求項２】
請求項１記載の階段の手摺取付構造であって、前記一対の側面に設けられる手摺支柱の固定用孔はそれぞれ上下に隔てて設けられることを特徴とする階段の手摺取付構造。
【請求項３】
請求項１又は請求項２に記載の階段の手摺取付構造であって、前記手摺支柱の両側面の前記固定用孔に対応する領域にＶ字状切欠が形成されることを特徴とする階段の手摺取付構造。
【発明の詳細な説明】
【技術分野】
【０００１】
本発明は、オープン階段と称される階段の手摺取付構造に関するもので、詳しくは、手摺支柱の位置決めが容易にできる手摺取付構造の技術に関する。
【背景技術】
【０００２】
従来、図５に示すように、オープン階段の手摺取付構造としての取付金物２５は断面コ字状形状で、裏面２５ｂから一対の側面２５ａを経て表面２５ｃまで連続成形され表面２５ｃの中央部に切欠部２６を備える構造である。
【０００３】
そして、一段高い踏板２の前端の段鼻部２ａに固着された取付金物２５の上方から断面矩形の手摺支柱３を差込むことで、手摺支柱３を階段の踏板２や図示しない下階の床面に立設することができる。
【０００４】
ところが、この取付金物２５であれば、踏板２と取付金物２５の安定した水平度を確保するのが困難なため、手摺支柱３を垂直に立設することが容易でないという問題があった。
【０００５】
また、表面２５ｃに切欠部２６を備える断面コ字状形状なので、長期の使用によって切欠部２６が開いて手摺支柱３にガタが生じることがあるため安定した手摺取付構造でないという問題があった。
【０００６】
この問題を解決する構成が特許文献１に開示されている。
【０００７】
図６に示すように、特許文献１においては、手摺支柱３の対向する一方の面に上下に等間隔に複数の挿通穴１９が穿孔され、他方の面にはこの挿通穴１９より径の小さい図示しない固定穴が挿通穴１９に対応する位置に穿孔されている。
【０００８】
この手摺支柱３を取付ける際には、床面５や踏板２の手摺支柱３を立設する位置に手摺支柱３を位置決めして、手摺支柱３の固定穴を設けた面を踏板２の段鼻部２ａに当接し挿通穴１９から工具等を用いて固着具８を固定穴から段鼻部２ａに打込むことにより、手摺支柱３が踏板２の段鼻部２ａに固定される。
【０００９】
この方法によれば、手摺支柱３自体が段鼻部２ａに打込まれるので安定して確実に固定することができる。
【特許文献１】実開平５−４９９９１号公報
【発明の開示】
【発明が解決しようとする課題】
【００１０】
ところが、上記従来例では、手摺支柱３を踏板２の前端の段鼻部２ａに固定するのに、階段の異なる勾配による上下の踏板２の段差の変化に対応して、手摺支柱３に固定穴と挿通穴１９を各４組設けているが、依然として取付け高さの微調整が困難であるという問題があった。
【００１１】
そこで、本発明はかかる従来技術の問題に鑑みなされたものであって、上下の踏板間の高さが変っても手摺支柱を踏板の段鼻部に容易且つ安定して固定できる階段の手摺り取付構造を提供することを目的とする。
【課題を解決するための手段】
【００１２】
請求項１の発明は、階段の踏板や下階の床面に手摺支柱を立設しこの手摺支柱の上端部に手摺りバーを取付け階段の傾斜に沿わせて配置した各手摺支柱を、この手摺支柱の下端より一段高い踏板の前端の段鼻部に沿わせると共にこの段鼻部に手摺支柱が固定手段を介して固定される階段の手摺取付構造であって、前記固定手段は一対の側面と底面とからなる断面コ字形状で、前記一対の側面に手摺支柱の固定用孔をそれぞれ設け、前記底面に前記一対の側面方向に長い長孔を設けるとともに前記底面の下端部分に前記底面且つ前記一対の側面と直角に位置決め用突起が設けられ、前記固定手段は前記位置決め用突起を手摺支柱の下端の取付位置より一段高い踏板前端の段鼻部の下面に当接し前記底面が前記段鼻部に前記長孔を介して固着具により固着されるとともに、前記手摺支柱は前記固定手段の一対の側面に挟持された状態で前記固定用孔を介して固着具により固着されることを特徴としている。
【００１３】
請求項２の発明は、請求項１記載の階段の手摺取付構造であって、前記一対の側面に設けられる手摺支柱の固定用孔はそれぞれ上下に隔てて設けられることを特徴としている。
【００１４】
請求項３の発明は、請求項１又は請求項２に記載の階段の手摺取付構造であって、前記手摺支柱の両側面の前記固定用孔に対応する領域にＶ字状切欠が形成されることを特徴としている。
【発明の効果】
【００１５】
請求項１記載の発明によれば、前記固定手段は一対の側面と底面とからなる断面コ字形状で、前記一対の側面に手摺支柱の固定用孔をそれぞれ設け、前記底面に前記一対の側面方向に長い長孔を設けるとともに前記底面の下端部分に前記底面且つ前記一対の側面と直角に位置決め用突起が設けられる。
【００１６】
このため、上下の踏板間の高さが変っても、前記固定手段は前記位置決め用突起を手摺支柱の下端の取付位置より一段高い踏板前端の段鼻部の下面に当接するだけで容易に垂直方向の位置決めができる。同時に水平度も容易に確定できるので、手摺支柱を確実に立設することができる。
【００１７】
また、前記底面に前記一対の側面方向に長い長孔を設けているので、踏板の段鼻部に沿って容易に固定位置を決めることができる。
【００１８】
請求項２記載の発明によれば、前記一対の側面に設けられる手摺支柱の固定用孔はそれぞれ上下に隔てて設けられる。
【００１９】
このため、前記固定用孔を介して固定される前記手摺支柱は前記踏板に対向或いは離反する方向に対しての安定性が向上する。
【００２０】
請求項３記載の発明によれば、手摺支柱の両側面の前記固定用孔に対応する領域にＶ字状切欠が形成される。
【００２１】
このため、前記固定用孔に固着具の先端を挿入すると、固着具の先端位置は自動的に手摺支柱のＶ字状切欠位置に対応するので、固着具の位置決め作業が不要になるので作業性が向上する。
【発明を実施するための最良の形態】
【００２２】
＜本発明の実施形態＞
以下に、本発明の第１の実施形態を図１〜図４に基づいて説明する。
【００２３】
＜階段の手摺取付構造の構成＞  
本発明の実施形態における階段の手摺取付構造３０は、図1、図２、図３に示すように、階段１の踏板２や下階の床面５に手摺支柱３を立設しこの手摺支柱３の上端部３ａに手摺りバー４を取付け階段１の傾斜に沿わせて配置した各手摺支柱３を、この手摺支柱３の下端部３ｂより一段高い踏板２の前端の段鼻部２ａに沿わせると共にこの段鼻部２ａに固定手段３１を介して固定される。
【００２４】
なお、床面５と踏板２の間、或いは踏板２間の蹴込板１１は状況により設ける場合と設けない場合がある。
【００２５】
前記固定手段３１は一対の側面３２と底面３３とからなる断面コ字形状で、前記一対の側面３２に手摺支柱３の固定用孔３４をそれぞれ設け、前記底面３３に一対の側面３２と垂直な方向に長い長孔３５を設ける。
【００２６】
また、前記底面３３の下端部分３３ａで前記底面３３且つ前記一対の側面３２と直角方向に突出する位置決め用突起３６が設けられる。
【００２７】
そして、前記固定手段３１は前記位置決め用突起３６を手摺支柱３の下端部３ｂの取付位置より一段高い踏板２前端の段鼻部２ａの下面２ｂに当接し前記底面３３が前記段鼻部２ａに前記長孔３５を介して固着具３７により固着される。
【００２８】
ここで、固着具３７としてのビス等の頭部が底面３３表面に突出しないように長孔３５には座繰り３５ａが形成される。
【００２９】
手摺支柱３は固定手段３１に挟持された状態で固定用孔３４を介して固着具３９により固着される。固定用孔３４には一対の側面３２の外側に固着具３９としてのビス等の頭部を側面３２内部に埋め込むために座繰り３４ｃが形成される。
【００３０】
各寸法間の関係は、手摺支柱３の横幅Ｓ、縦幅Ｔ、固定手段３１の内横幅Ｓ１、内縦幅Ｔ１とすると、Ｓ＝Ｓ１、Ｔ≧Ｔ１の関係に形成される。
【００３１】
踏板２の板厚Ｈ、位置決め用突起３６の板厚Ｈ１、固定手段３１の全高Ｈ２とすると、Ｈ２−Ｈ１＝Ｈ３≦Ｈの関係に形成される。
【００３２】
位置決め用突起３６の突出長さＧは段鼻部２ａの蹴込板１１から突出する長さＧ１に対して、Ｇ＜Ｇ１の関係に形成される。
【００３３】
前記一対の側面３２に設けられる手摺支柱３の固定用孔３４は上下方向に距離Ｒ隔てて設けられる。長孔３５は底面３３の上下方向の略中央部に形成される。
【００３４】
また、前記手摺支柱３の両側面３ｃには、前記固定手段３１の側面３２に設けられる固定用孔３４に対応する領域ＱにＶ字状切欠３８が形成される。領域Ｑの長さは階段１の勾配による踏板２間の高さの変動範囲をカバーできる長さであればよい。
【００３５】
いま、Ｖ字状切欠３８が前記手摺支柱３の前記固定手段３１に対応する前面３ｄから距離Ｋ１の両側面３ｃ上の位置に形成され、固定用孔３４が底面３３から距離Ｋだけ離れた位置に形成されるとすると、Ｋ＝Ｋ１の関係に形成される。
【００３６】
＜階段の手摺取付構造の作用＞
上記のように、前記固定手段３１は前記位置決め用突起３６を手摺支柱３の下端部３ｂの取付位置より一段高い踏板２の前端の段鼻部２ａの下面２ｂに当接することにより容易に水平、垂直の位置決めができるので施工が容易にできる。
【００３７】
さらに、前記手摺支柱３の両側面３ｃには、前記固定手段３１の側面３２に設けられる固定用孔３４に対応して領域ＱのＶ字状切欠３８が形成されるので、固着具３９としてのビス等をねじ込む際の位置決めが自然にできるので素早く固定できる。
【００３８】
ここで、図４に示すように、手摺支柱３の上端部３ａと上部固定用孔３４ｂまでの距離Ｒ１、上部固定用孔３４ｂから手摺支柱３の下端部３ｂまでの距離Ｒ２、下部固定用孔３４ａと上部固定用孔３４ｂ間の距離Ｒとし、上端部３ａに掛かる外力Ｆ、下端部３ｂに生じる力Ｆ１、下部固定用孔３４ａに掛かる反力Ｆ２とする。また、Ｒ１＝１０００ｍｍ、Ｒ２＝２５０ｍｍとする。
【００３９】
いま、左右に配置される下部固定用孔３４ａと上部固定用孔３４ｂが同じ高さＲ２位置だとすれば、下端部３ｂには外力Ｆ１＝Ｒ１ｘＦ／Ｒ２が直接掛かるので、下端部３ｂは踏板２との間で常にガタツクことになるので不安定な手摺支柱３である。
【００４０】
ところが、左右それぞれの下部固定用孔３４ａと上部固定用孔３４ｂの位置が上下に離れているので、Ｆ１＝０（ゼロ）、反力Ｆ２＝Ｒ１ｘＦ／Ｒが固着具３９としてのビス等に掛かる。
【００４１】
このため、下端部３ｂには外力が掛からないのでガタツクことがないので、手摺支柱３の安定度が増すとともに、下端部３ｂを踏板２に固定する支柱ベースが必要がなくなるためコストダウンできる。
【００４２】
なお、前記一対の側面３２に設けられる手摺支柱３の固定用孔３４が上下方向に距離Ｒ隔てて設けられるので、一対の側面３２の外側から挿入される固着具３９が互いに衝突する可能性を未然に防止する効果もある。
【００４３】
以上、本発明の実施形態を図面に基づいて説明したが、上記の実施例はいずれも本発明の一例を示したものであり、本発明はこれらに限定されるべきでないということはいうまでもない。
【００４４】
前記固定手段３１の側面３２に設けられるＶ字状切欠３８の領域Ｑを意匠性として加味する場合には手摺支柱３の上下方向の全領域に形成してもよい。
【００４５】
前記固定手段３１の前記底面３３の下端部分３３ａに設けられる位置決め用突起３６は前記底面３３の内部領域に移動して設けても構わない。
【図面の簡単な説明】
【００４６】
【図１】本発明の実施形態における、階段の構成と手摺取付構造を示す側面図である。
【図２】本発明の実施形態における、手摺取付構造の分解斜視図である。
【図３】本発明の実施形態における、固定手段３１の斜視図である。
【図４】本発明の実施形態における、手摺支柱３の上端部３aに外力Ｆが掛かった場合の手摺取付構造に生じる力関係を示す図である。
【図５】従来例における、手摺支柱の固定手段の取付状態を示す斜視図である。
【図６】他の従来例における、手摺支柱を踏板の段鼻部に固定する状態を示す斜視図である。
【符号の説明】
【００４７】
２  踏板
２ａ  段鼻部
２ｂ  下面
３  手摺支柱
３ｂ  下端
３１  固定手段
３２  側面
３３  底面
３３ａ  下端部分
３４  固定用孔
３５  長孔
３６  位置決め用突起
３７  固着具
３９  固着具
【図１】
0004544058.tif 000002
【図２】
0004544058.tif 000003
【図３】
0004544058.tif 000004
【図４】
0004544058.tif 000005
【図５】
0004544058.tif 000006
【図６】
0004544058.tif 000007